(57)【要約】      （修正有）【課題】組立て式ロッカーの構造を提供する。【解決手段】底板１、天板２、相互に向き合う二枚の側板３、背板４、及び扉５によって構成されており、背板の両サイドは、側板が互いに向き合ったときの後ろ側と結合され、これらの側板と背板の上辺は、天板裏面の両サイド及び後ろ側と結合され、これらの側板と背板の下辺は、底板表面の両サイド及び後ろ側と結合され、扉は底板と天板の間で軸回転するよう取り付けられる。天板裏面の両サイド、及び底板表面の両サイドにおいて、側板と結合される位置には複数の噛み合い溝７があり、噛み合い溝の中の一方の側には、噛み合い溝の内部に向かって、噛み合い溝の開口面と平行に噛ませプレートが延伸しており、側板の上辺及び下辺には、噛み合い溝に対応する複数のクリップ９が軸回転できるように設けられており、それぞれのクリップは噛み合い溝の中に入って噛ませプレートに噛み付き、側板を底板と天板に固定して、ロッカーの組立て動作を終える。【選択図】図３
0003209765.tif 000002
【実用新案登録請求の範囲】
【請求項１】
表面両サイド及び後ろ側に複数の第一連結部を備えた、1個以上の底板、
裏面両サイド及び後ろ側に複数の第二連結部を備えた、1個以上の天板、
上辺、下辺、及び向き合ったときの後ろ側の側辺にはいずれも、複数の第三連結部を備え、上辺及び下辺の第三連結部の間には複数の蝶番穴が設けられており、上辺の第三連結部は、それぞれが天板裏面の両サイドの第二連結部と結合され、下辺の第三連結部は、それぞれが底板表面の両サイドの第一連結部と結合され、背板両サイドの第四連結部のそれぞれが、向き合ったときの後ろ側の側辺に設けられた第三連結部と結合される、相互に向き合った2個以上の側板、
上辺、下辺、及び両サイドに複数の第四連結部を備え、上辺の第四連結部が天板裏面後ろ側の第二連結部と結合され、下辺の第四連結部が底板表面後ろ側の第一連結部と結合され、両サイドの第四連結部がそれぞれ、側板が向き合ったときの後ろ側に設けられた第三連結部と結合される、1個以上の背板、
それぞれが蝶番穴の中で軸回転でき、噛み合い溝に入って、噛み合い溝の開口面とは反対側にある噛ませプレートに噛み付くことで、天板及び底板が側板と固定され、且つ、噛ませプレートに噛み付いたとき、表面が蝶番穴の開口面と同一平面上にくる複数のクリップ、
によって構成されていることを特徴とする組立て式ロッカーの構造。
【請求項２】
扉を含み、扉の上辺及び下辺の同一サイドには、いずれも扉軸を備え、底板表面及び天板裏面において、当該扉軸に対応する位置にはいずれも、当該扉軸を軸回転させる軸穴が設けられていること
を特徴とする請求項1に記載の組立て式ロッカーの構造。
【考案の詳細な説明】
【技術分野】
【０００１】
本考案は、組立て式ロッカーの構造、特に、組立て、分解が容易で、ロッカー内部スペースの妨げにならず、高度の連結性、支え強度を有している組立て式ロッカーの構造を提供する。
【背景技術】
【０００２】
ロッカーとは、人が物品を置くための収納スペースであり、学校の宿舎、軍の営舎、工場、駅、スイミングプール、ショッピングセンターなどでよく見受けられ、物品の遺失を防ぐため、通常、ロッカーの扉には錠が設けられており、個人の物品の安全を確保すると同時に、使用意欲を高めている。
【０００３】
ロッカーのほとんどは金属ロッカー、または環境保護材（プラスチック、ABS樹脂）の組立て式ロッカーである。金属ロッカーは、塗料剥げ落ち、錆付き、へこみといった問題が多く、重量も重いので、据付場所の移動や組立て時に不便なところがある。環境保護材の組立て式ロッカーは、重量も軽く、清掃しやすく、回収リサイクルでき、強度も高く、耐用年数が長いといったメリットがあり、市場では金属ロッカーは、しだいに組立て式ロッカーに置き換えられている。
【０００４】
しかし、組立て式ロッカーにも問題は存在する。組立て構造のためのスペースを別に残しておく必要があり、このことがロッカー内部の収納スペースを減少させ、ロッカー収納スぺース内にある組立て構造の突起が物品を置くことの妨げになることもある。よって、上述の従来の技術にはなおも欠点や不足が多いため良好な設計とは言えず、改良が待たれる。
【考案の概要】
【考案が解決しようとする課題】
【０００５】
本考案は、組立て、分解が容易で、ロッカー内部スペースの妨げにならない組立て式ロッカーの構造を提供することを目的とする。
【課題を解決するための手段】
【０００６】
本考案の組立て式ロッカーの構造は、底板、天板、相互に向き合う二枚の側板、背板、及び扉によって構成されている。底板表面の両サイドと後ろ側には、それぞれに複数の第一連結部があり、天板裏面の両サイドと後ろ側には、それぞれに複数の第二連結部があり、天板裏面の両サイドの第二連結部、及び底板表面の両サイドの第一連結部は、いずれも1個以上の噛み合い溝が設けられ、噛み合い溝の一方の側には、噛み合い溝内に向けて、噛み合い溝の開口部と平行に、噛ませプレートが延伸している。相互に向き合う二枚の側板の上辺、下辺、及び向き合ったときの後ろ側の側辺には、複数の第三連結部を有し、これらの側板は、これらの側板の上辺及び下辺の第三連結部において複数の蝶番穴が設けられており、これらの蝶番穴には、噛み合い溝にはめ込まれて噛ませプレートに噛み付くクリップが備わっている。背板の上辺、下辺、及び両サイドには、いずれも複数の第四連結部が設けられている。扉は、上辺及び下辺の同一サイドに扉軸が設けられており、底板表面、及び天板裏面において、当該扉軸に対応する位置にはいずれも、扉を軸回転させる軸穴が設けられている。
【０００７】
底板と天板は同一構造であり、第一連結部は、底板表面及び天板の表面の両サイドと後ろ側に、第二連結部は、底板裏面及び天板裏面の両サイドと後ろ側に設けられている。
【０００８】
上述の底板表面の両サイドの第一連結部と側板下辺の第三連結部は、相互に対応する凸ブロック及び固定溝の構造をしており、上述の底板表面の後ろ側の第一連結部と背板下辺の第四連結部は、相互に対応する凸ブロック及び固定溝の構造をしている。
【０００９】
上述の天板裏面の両サイドの第二連結部と側板上辺の第三連結部は、相互に対応する凸ブロック及び固定溝の構造をしており、上述の天板裏面の後ろ側の第二連結部と背板上辺の第四連結部は、相互に対応する凸ブロック及び固定溝の構造をしている。
【００１０】
上述の背板両サイドの第四連結部と、側板が向き合ったときの後ろ側の側辺の第三連結部は、相互に対応する凸ブロック及び固定溝の構造をしている。
【図面の簡単な説明】
【００１１】
【図１】本考案における組立て式ロッカーの構造の立体図
【図２】図１の一部拡大図
【図３】本考案における組立て式ロッカーの構造の分解図
【図４】本考案における天板の別角度からの立体図
【図５】本考案における底板の立体断面図
【図６】本考案における側板の分解図
【図７】本考案におけるクリップの立体図
【図８】本考案におけるクリップと噛み合い溝の噛み合いを示す図
【考案を実施するための形態】
【００１２】
図1〜7を参照しつつ話を進める。本考案の組立て式ロッカーの構造は、底板1、天板2、相互に向き合う二枚の側板3、背板4、及び扉5によって構成されている。底板1表面の両サイドと後ろ側には、それぞれに複数の第一連結部があり、当該第一連結部は固定溝6構造である。天板2裏面の両サイドと後ろ側には、それぞれに複数の第二連結部があり、当該第二連結部は固定溝6構造である。また、天板2裏面の両サイド、及び底板1表面の両サイドの固定溝6には、それぞれにおいて2個の噛み合い溝7が設けられており、天板2裏面に設けられた噛み合い溝7の開口部は天板2裏面に向いており、底板1表面に設けられた噛み合い溝7の開口部は底板1表面に向いており、且つ、噛み合い溝7の一方の側には、噛み合い溝7内に向けて、噛み合い溝7の開口部と平行に、噛ませプレート71が延伸している。
【００１３】
相互に向き合う側板3の上辺、下辺、及び向き合ったときの後ろ側の側辺にはいずれも、複数の第三連結部が設けられてている。相互に向き合う側板3の上辺及び下辺の第三連結部は凸ブロック8構造であり、側辺3が向き合ったときの後ろ側の側辺の第三連結部は固定溝6構造である。側板3の上辺及び下辺の凸ブロック8構造の間には複数の蝶番穴31が設けられており、蝶番穴31の中にはクリップ9が軸回転するように設けられており、それぞれのクリップ9が噛み合い溝7に対応し、且つ、クリップ9は、側板3の上辺及び下辺の凸ブロック8構造の間にあって軸回転する蝶番部91、操作部92、及び噛み付き部93によって構成されており、操作部92は蝶番部91の反対側に、噛み付き部93は、操作部92の反対側である蝶番部91の側に、それぞれ設けられている。
【００１４】
背板4の上辺、下辺、及び両サイドに設けられた複数の第四連結部は、凸ブロック8構造である。扉5の上辺及び下辺の同一サイドには扉軸51が設けられており、底板1表面の前側、及び天板2裏面の前側において、当該扉軸51に対応する位置にはいずれも、扉5を軸回転させる軸穴10が設けられている。
【００１５】
図1〜8を参照しつつ話を進める。本考案の組立て式ロッカーを組み立てるときは、背板4両サイドの凸ブロック8を、側板3が向き合ったときの後ろ側の側辺に設けられた固定溝6内に挿入してから、相互に向き合う側板3下辺の凸ブロック8の間に設けられたクリップ9の操作部92を弾き、側板3下辺のクリップ9の蝶番部91を軸回転させて、クリップ9の噛み付き部93を側板3の下方に向けさせる。次に、側板3下辺に設けられた凸ブロック8、及び背板4下辺に設けられた凸ブロック8を、底板1表面両サイド及び後ろ側の固定溝6にそれぞれ挿入し、側板3の下辺に設けられたクリップ9の噛み付き部93を、底板1表面両サイドの固定溝6の間に設けられた噛み合い溝7の中に挿入する。次に、側板3下辺の凸ブロック8の間に設けられたクリップ9の操作部92を再び弾き、クリップ9の蝶番部91を軸回転させて、クリップ9の噛み付き部93をして、噛み合い溝7の開口面とは反対側にある、底板1の噛み合い溝7内の噛ませプレート71に噛み付かせて、底板1を、側板3及び背板4と結合させる。クリップ9を、噛み合い溝7の開口面とは反対側にある噛ませプレート71に噛み付かせると、クリップ9の表面は、蝶番穴31の開口部と同一平面上にくるようになる（図2参照）。
【００１６】
次に、側板3上辺の凸ブロック8の間に設けられたクリップ9の操作部92を弾き、側板3上辺のクリップ9の蝶番部91を軸回転させて、クリップ9の噛み付き部93を側板3の上方に向けさせる。次に、側板3上辺に設けられた凸ブロック8、及び背板4上辺に設けられた凸ブロック8を、天板2裏面両サイド及び後ろ側の固定溝6にそれぞれ挿入し、側板3の上辺に設けられたクリップ9の噛み付き部93を、天板2表面両サイドの固定溝6の間に設けられた噛み合い溝7の中に挿入する。次に、側板3上辺の凸ブロック8の間に設けられたクリップ9の操作部92を再び弾き、クリップ9の蝶番部91を軸回転させて、クリップ9の噛み付き部93をして、噛み合い溝7の開口面とは反対側にある、天板2の噛み合い溝7内の噛ませプレート71に噛み付かせて、クリップ9の表面は、蝶番穴31の開口部と同一平面上にくるようにし、天板2を、側板3及び背板4と結合させる。最後に、扉5の上辺及び下辺の扉軸51を、天板2及び底板1の軸穴10にそれぞれ挿入して、本考案の組立て式ロッカーの組立作業を終える。
【００１７】
上述の構造によると、本考案の組立て式ロッカーの構造は従来のロッカー構造と比較して以下のような特徴と効用がある。
１．本考案である組立て式ロッカーの構造は、側板の上辺及び下辺に装着されたクリップを軸回転させて弾くことで、クリップを、天板裏面及び底板表面の噛み合い溝内の噛ませプレートに噛み付かせて、ロッカーの側板及び背板を、底板と天板に固定すれば、ロッカー組立てを終えることができ、分解のときは、クリップを再び弾けば、クリップの蝶番部が噛ませプレートから開放されて、ロッカーを分解できることから、本考案の組立て式ロッカーの構造は、組立てと分解が容易なだけでなく、組立てと分解のときに、いかなる工具も不必要である。
２．本考案においては、噛み合い溝が天板および底板の固定溝の間に設けられており、しかも、噛み合い溝内の噛ませプレートは、噛み合い溝の開口部と平行なので、クリップを噛み合い溝に入れて、軸回転させて噛ませプレートに噛み付かせると、クリップの表面が、蝶番穴の開口部と同一平面上になることから、クリップがロッカー収納スペース内で突出して物品を置くことの妨げにならないとともに、ロッカー内で物品を移動させるときに、クリップが引っ掛かって、クリップと噛ませプレートが外れて、側板が底板または天板から離れることもない。
【００１８】
以上の詳細説明は本考案における実施例の具体的説明にとどまり、これをもって本考案の登録請求範囲が限定されるべきではなく、本考案に係わる技能に精通した者が、本考案の趣旨に従って同等の効果を得た場合は、以下における本考案の登録請求範囲内とする。本考案は技術的思想の創作に属し、従来の物品に上述の機能や効果が付加されており、新規性、進歩性という登録の要件を満たしていると思われることから、ここに実用新案登録を出願する。
【符号の説明】
【００１９】
１    底板
２    天板
３    側板
３１    蝶番穴
４    背板
５    扉
５１    扉軸
６    固定溝
７    噛み合い溝
７１    噛ませプレート
８    凸ブロック
９    クリップ
９１    蝶番部
９２    操作部
９３    噛み付き部
１０    軸穴
【図１】
0003209765.tif 000003
【図２】
0003209765.tif 000004
【図３】
0003209765.tif 000005
【図４】
0003209765.tif 000006
【図５】
0003209765.tif 000007
【図６】
0003209765.tif 000008
【図７】
0003209765.tif 000009
【図８】
0003209765.tif 000010